(57)【特許請求の範囲】
【請求項１】
多数の花により所望の３次元的な装飾パターンで装飾された祭壇を構築することを可能とした祭壇装置であって、
該祭壇装置は、前記の装飾パターンを複数個に区画した場合の各々の区画の装飾パターンで表示されるべき花が、それぞれ１つのモジュールにより表示されるようにした構造を有し、
かつ、各々のモジュールは、
（１）飾り付け用台と、
（２）各々の区画が表示すべき装飾パターンにもとづいて、前記飾り付け用台の上端面の所定位置に設けられた所定本数のシャフトと、
（３）各々の区画が表示すべき装飾パターンにもとづいて、前記所定本数のシャフト上のそれぞれの所定の位置に挿通された所定個数の位置決め装置と、
（４）該所定個数の位置決め装置のそれぞれに垂直に一本づつ挿通され、かつ、各々の区画が表示すべき装飾パターンにもとづく高さに支持される所定本数のポールと、
（５）該所定本数のポールのそれぞれの上端部に１つづつ取り付けられた保持装置と、
（６）該保持装置に設けられ、所定本数の花をそれぞれ個別に保持する複数個の保持部と、
をそれぞれが備え、
更に、
前記所定本数のシャフトは、その各々の一方の端部は、前記上端面の互いに対向する一対の側端部のうちの一方の側端部に取り付けられるとともに、各々のシャフトの他方の端部は、前記一対の側端部のうちの他方の側端部に取り付けられ、
かつ、
前記位置決め装置は、前記シャフト上における位置決め装置の位置調節及び保持を行う調節保持手段と、ポールの高さの調節及び保持を行うクリック機構とを備え、
更に、
前記複数個の保持部は平行な複数の列を構成し、かつ、各列を構成する保持部は、隣接する列との相互間においてオフセットした位置関係を有することを特徴とする祭壇装置。
【請求項２】
請求項１記載の祭壇装置において、前記上端面は、その後端部が前端部よりも高く位置している傾斜面であることを特徴とする祭壇装置。
【請求項３】
請求項１又は２記載の祭壇装置において、前記複数個の保持部は、それぞれその内側に嵌合する球状体を有するとともに、該球状体は、花を保持するための貫通孔を有し、
かつ、該球状体は、保持部の内側に嵌合した状態において回動可能に構成されていることにより、花の保持される方向が調節可能であることを特徴とする祭壇装置。
【請求項４】
請求項３記載の祭壇装置において、前記球状体がそれぞれ有する貫通孔は、貫通孔の上部の開口のサイズに対し、貫通孔の下部の開口のサイズが小さく設定されていることを特徴とする祭壇装置。
【請求項５】
請求項１ないし４のいずれか１項に記載の祭壇装置において、
前記保持装置は、更に、該保持装置を前記ポールの上端部に取り付けるためのポール受け部を備えるとともに、前記ポールの上端部は球面部分を備え、かつ、前記ポール受け部は、該球面部分に対して面接触して嵌合可能な曲面を備えていることを特徴とする祭壇装置。
【請求項６】
請求項１ないし４のいずれか１項に記載の祭壇装置において、
さらに、前記保持装置は、該保持装置を前記ポールの上端部に取り付けるためのポール受け部を備えるとともに、該ポール受け部は、その内側に嵌合する球状体を有し、
かつ、該球状体は、貫通孔を備え、この貫通孔に前記ポールの上端部が挿通されることにより前記保持装置が支持されるとともに、前記ポール受け部の内側に嵌合した球状体が回動可能に構成されていることにより、保持装置の支持される方向を調節可能としていることを特徴とする祭壇装置。
【請求項７】
請求項１ないし６のいずれか１項に記載の祭壇装置において、前記調節保持手段は、ボルトを用いた挟持機構によって前記シャフトを挟持することにより、位置決め装置をシャフトの所望位置で保持するものであることを特徴とする祭壇装置。
【請求項８】
請求項１ないし６のいずれか１項に記載の祭壇装置において、前記調節保持手段はクリック機構を備え、該クリック機構によって前記位置決め装置を前記シャフトの所望位置で保持するものであることを特徴とする祭壇装置。
【発明の詳細な説明】
【技術分野】
【０００１】
この発明は、大量の花を用いて、所望の３次元的装飾パターンで祭壇を装飾することができるようにした祭壇装置に関するものである。
【０００２】
従来、婚葬祭や祝賀会等の大規模なセレモニーにおいて、大量の花を祭壇状に飾って会場を演出する場合、このような大規模な花祭壇の構築・飾り付けには大変な労力と時間を要している。このため、このような花祭壇については、組み立て式の構造を採用するものが従来知られている。
【０００３】
しかるに、このような組み立て式構造を採用することにより、飾り付け用台の組み立ては楽になっても、大量の花を所定の表現パターンに従って飾り付け用台に飾り付ける作業自体には、いまだに多くの労力と時間を要するという問題がある。そして、特に、大量の花を所望の曲面状に表すとか、あるいは、花文字を表現する等のような複雑な表現パターンで提示する場合には、個々の花を提示する位置の設定が著しく困難になるという問題があった。
【特許文献１】特開２０００−１４５３３号公報
【発明の開示】
【発明が解決しようとする課題】
【０００４】
この発明は、かかる点に鑑み、所望の３次元的装飾パターンで装飾された花祭壇を構築する場合に、飾り付け用台の組み立てを簡単にするだけでなく、大量の花を所望の装飾パターンに従って台に飾り付ける作業自体も容易にするとともに、更に、セレモニー終了後における花祭壇の撤去作業も簡単迅速に行えるようにすることを目的とするものである。
【課題を解決するための手段】
【０００５】
本発明は、多数の花により所望の３次元的な装飾パターンで装飾された祭壇を構築することを可能とした祭壇装置であって、この装飾パターンを複数個に区画した場合の各々の区画の装飾パターンで表示されるべき花が、それぞれ１つのモジュールにより表示される構造を有する。
【０００６】
そして、各々のモジュールは、飾り付け用台と、各々の区画が表示すべき装飾パターンにもとづいて、前記飾り付け用台の上端面の所定位置に設けられた所定本数のシャフトと、各々の区画が表示すべき装飾パターンにもとづいて、前記所定本数のシャフト上のそれぞれの所定の位置に挿通された所定個数の位置決め装置と、これらの所定個数の位置決め装置のそれぞれに垂直に一本づつ挿通され、かつ、各々の区画が表示すべき装飾パターンにもとづく高さに支持される所定本数のポールと、この所定本数のポールの上端部に取り付けられ、各々の区画が表示すべき装飾パターンにしたがって花を保持する保持装置とを、それぞれが備えるとともに、前記所定本数のシャフトの各々の一方の端部は、前記上端面の互いに対向する一対の側端部のうちの一方の側端部に取り付けられるとともに、各々のシャフトの他方の端部は、前記一対の側端部のうちの他方の側端部に取り付けられ、
更に、
前記位置決め装置は、前記シャフト上における位置決め装置の位置調節及び保持を行う調節保持手段と、ポールの高さの調節及び保持を行うクリック機構を備えている。
【０００７】
ここで、前記複数個の保持部は、平行な複数の列を構成し、かつ、各列を構成する保持部が、隣接する列との相互間においてオフセットした位置関係をもつようにすることが望ましい。
【０００８】
また、前記複数の保持部は、それぞれその内側に嵌合する球状体を有するとともに、この球状体は、花を保持するための貫通孔を有し、かつ、この球状体は、保持部の内側に嵌合した状態において回動可能に構成するのがよい。
【０００９】
更に、前記球状体がそれぞれ有する貫通孔は、貫通孔の上部の開口のサイズに対し、貫通孔の下部の開口のサイズが小さく設定されるのが望ましい。
【００１０】
また、前記保持装置は、それ自身を前記ポールの上端部に取り付けるためのポール受け部を備えるとともに、前記ポールの上端部が球面部分を備え、かつ、前記ポール受け部は、この球面部分に対して面接触して嵌合可能な曲面を備えるようにするのが望ましい。
【発明の効果】
【００１１】
本発明の祭壇装置は、反復使用が可能であり、かつ、使用の都度、装飾パターンを所望の異なるものに変更して新たな装飾の施された祭壇を構築することができる。具体的には、祭壇を装飾する花の向きや高さを簡単に調節・変更できる。また、花によって複雑な装飾パターンを表す場合も、パターンをきれいに表現できる。
【００１２】
また、複数個のモジュールを配置して祭壇装置を構成するので、祭壇装置の構築作業及び分解・撤去搬送作業を非常に簡単に行うことができる。
【実施例１】
【００１３】
本発明による祭壇装置の第１の実施例について、以下に詳細に説明する。
まず、かかる実施例により構築された花祭壇の１例を、横方向から見た場合の断面図を図１８に示す。この図において、１は、上部が２段のステップ構造に形成されている飾り付け用台、３は飾り付け用台の上面部分に取り付けられたポール、２はポール３に取り付けられた保持装置であり、この保持装置２によって花が保持されている。そして、本実施例では、この飾り付け用台１と、飾り付け用台１上に取り付けられた多数のポールおよび保持装置とで１個のモジュールを構成しており、多数のモジュールを、図に示されるように補助台９９９を利用して階段状に並べることによって祭壇が構成されている。
【００１４】
次に、モジュールの構造を図１により説明する。この図は、分かり易いように、２段に構成された飾り付け用台の１段目の上端面に２本のポールを、２段目の上端面に１本のポールをそれぞれ取り付けた状態のモジュールを表している。モジュールの飾り付け用台は、図に示されるように多数本のフレーム１０を組み立てて構成されている。そして、シャフト４の両端は、それぞれ、取り付け部材６を介して、飾り付け用台の上端面の対向する側端部に位置するフレームに取り付けられている。そして、シャフト４の両端部から適当な距離の位置に位置決め装置５が保持されるとともに、この位置決め装置５にポール３が所望の高さで取り付けられている。
【００１５】
次に、位置決め装置５の構造を、図２の拡大図で説明する。この図に示されるようにシャフト４およびポール３は中空の同じ構造をしており、いずれも軸方向に沿って列状に形成された多数のクリック孔４０および３０を備えている。参考までに、シャフト４の断面形状を図３に示す。図２および図３に示されるように、シャフト４は、その長手方向に沿って凹部４１が形成され、多数のクリック孔が凹部の両サイドにそれぞれ１列に形成されている。一方、位置決め装置５は、内部にクリック係合機構を備え、図２に示される状態では、シャフト４およびポール３は、いずれも位置決め装置５との間にクリック係合機構が働いて、これらの３者の位置が固定されている。
【００１６】
この状態において、シャフト４およびポール３を図のＹ方向に回転させると、位置決め装置５の内部のクリックの係合状態が容易に解除されて、位置決め装置５を図のＡ方向に自由に移動させることができ、また、ポール３については図のＢ方向に自由に移動させることができるようになる。そして、所望の移動位置でシャフト４およびポール３を図のＮ方向あるいはＹ方向に回転させると、再びクリックが係合状態となって、位置が固定される。
【００１７】
なお、以上に示した位置決め装置は直方体形状をしているが、上述のようなクリック係合機構を備えたものであれば、このような形状に限る必要はなく、たとえば球状であってもよい。更に、位置決め装置の形状として、必要十分な強度を確保しつつも大幅に軽量化した場合の例として図４のように構成してもよい。この図においては、位置決め装置は、シャフト４が挿通されるパイプ部分５７と、ポール３が挿通されるパイプ部分５８と、それぞれクリック機構が内蔵されたパイプ部分５６および５９とが互いに結合された構造となっている。
【００１８】
次に、位置決め装置内部のクリック係合機構の詳細を、図４の場合を例にとって説明する。図４において、パイプ部分５６および５９の中心軸とパイプ部分５８の中心軸とを含む平面によって位置決め装置を切断した場合の断面図を、図５に示す。この図において、５２および５５は、それぞれスプリング５１および５４によってシャフト４およびポール３の方向へ付勢されているクリック係合片であり、これらの係合片の先端の突起部がクリック孔４０および３０にそれぞれ係合することにより、位置決め装置５とシャフト４およびポール３との位置関係が固定される。なお、図における５０および５３は、位置決め装置５のクリック機構の開口端にネジ機構ではめ込まれたストッパーである。
【００１９】
そして、シャフト４およびポール３に設けられているクリック孔は、シャフト４およびポール３を図４におけるＹ方向へ回転させた場合のみクリック係合状態が解除されるように形成されており、このように回転させたとき、シャフト４においては、その断面の凹部４１がクリック係合片の突起部に対向することになり、位置決め装置５をシャフト４の軸方向へ自由に移動させることができるようになる。ポール３についても、同様にクリック機構が解除されて花を支える保持装置２の高さを自在に調節できる。
【００２０】
つぎに、図１における保持装置２について説明する。図１では、保持装置２の形状を板状のものとして簡略化して示しているが、その詳細な具体的形状は、図７に示すとおりである。この図について説明すると、この図は、ポール３の先端部３２に保持装置２が装着され、保持装置２の挿花可能な６箇所（保持部２１ないし２６）のうちの１箇所に花瓶７を介して１本の花が挿されている様子を示したものである。
【００２１】
この図において、保持部２１ないし２６、ポール受け部２７、およびコネクタ部２８、２９等からなる構造が保持装置2の基本構造を構成し、この基本構造を図７のＧ方向から見た平面図を図８に示す。ここで、21ないし27は、いずれも共通した断面構造を有し、たとえば、２３について、図８の１点鎖線ＡＢで切断した断面を図９の（１）に示す。
【００２２】
そして、２１ないし２７の内部は、図９の（2）に示されている断面図および図９の（３）に示されている斜視図に表現されているようなテーパをもつ貫通孔が形成された球状体２１０を丁度嵌装できるように構成されており、２１ないし２６では、この球状体を介して花瓶７が挿入保持される構成となっている。参考までに、保持部２１が球状体２１０を介して花瓶を保持している状態の断面図を図１０に示す。また、ポール受け部２７では、この球状体２１０を上下反転して嵌装したのち、図１１に示されるポール3の先端部を球状体に貫入してポール３の球状部３１を球状体２１０のテーパ面に当接させ、これにより、保持装置がポールの先端部に保持される（図７参照）。
【００２３】
なお、図１０からも容易に推察できるように、本構造においては、花瓶を球状体に装着した後、花瓶の向きをある程度任意の方向に傾けることができるので、花瓶を所望の方向に傾けた後、ボルト７７，７８等を締め付けて保持部により球状体を強固に挟持することで、花を所望の方向に向かせた状態で安定に保持することができる。
なお、上記のボルト７７による締め付け部分の拡大図を図１２に示す。この図に示されるように、ボルトにより締め付けられるベースの間には、弾性質のリング状のパッキン１５０が介挿され、ベースの破損を防止している。
【００２４】
ところで、図８に示されるように、保持部21，22，23と保持部24，25，26とは、互いにオフセットした位置関係となるように構成されているので、モジュールの台上に多数のシャフトを取り付け、更に、各シャフト上に多数のポールを配設することにより、保持装置を稠密に取り付けた場合の保持部の全体の配置パターンは、図１３に示されるように千鳥状になる。
【００２５】
なお、この図では、保持部の配置を分かりやすくするために、保持部を、アミ線の施された実線の円で表し、それ以外の構造部分は、破線で簡略化して表している。
以上のような千鳥状の配置パターンをとることにより、複数種類の多数の花を用いて祭壇に所望の模様（例えば、花文字等）を表現する場合には、保持部が格子状に配置されている場合に比べて、模様の曲線部分をより滑らかに描き出すことができるので、模様がきれいに表わされるという効果が得られる。
【００２６】
なお、以上のような稠密配置をとる場合は、当然、飾り付け用台の上端面には配設可能な最大個数のシャフトが設けられるとともに、これらの各シャフト上には、配設可能な最大個数の位置決め装置が設けられ、これらの位置決め装置に立設されたポールの上端部に保持装置が保持されることによって、稠密配置が実現されるが、通常、花祭壇を構築する場合には、このような稠密配置が採られる。
また、今までに説明した実施例では、保持部は２列に構成されている（２１〜２３からなる列と２４〜２６からなる列）が、より多くの列、たとえば、３列あるいは４列に構成してもよく、いずれの場合も、隣接する列の保持部が互いにオフセットした位置関係となるようにすることで、前述の効果を実現することができる。
【００２７】
なお、図７におけるコネクタ部２８および２９は、多数の保持装置を配設した際に、隣接する保持装置を図１４に示される連結部材を用いて互いに連結して、より安定に保持するためのものであり、一方の保持装置のコネクタ部に連結部材の球状部280をはめ込むとともに、隣接する他方の保持装置のコネクタ部に連結部材の球状部２８１ないし２８６のうちから最適間隔の位置にある球状部を選んではめ込むように構成されている（例えば、図１４において、他方のコネクタ部にはめ込むのに最適な間隔位置にある球部が２８３であった場合には、図のＰ点で連結部材を切断して使用する）。
【００２８】
次に、図１における取り付け部材６の構造の詳細を図１５により説明する。この図に示されるように、取り付け部材６は、略凹型形状のシャフト保持部６０と固定部６１とからなり、シャフト保持部は、フレーム１０の上面に形成されているガイド溝１００に嵌合する凸部を下部に備えている。そして、シャフト保持部をガイド溝に沿って摺動させ、所望の位置でシャフト４の端部をシャフト保持部６０の挿入孔６００に挿入してからボルトをネジ孔６０１に嵌めてシャフトを挟持するとともに、固定部６１の締め付け部６１０および６１１のボルトを締め付けることにより、フレーム１０、固定部６１、シャフト保持部６０、およびシャフト４が互いに固定されて、フレーム１０へのシャフトの取り付けがおこなわれる。なお、この実施例では、飾り付け用台１をフレームで構成しているが、飾り付け用台の上側面以外の面をパネルで構成してもよい。
【００２９】
以上に説明した実施例におけるモジュールを組み立てる場合には、つぎのような利点がある。すなわち、フレーム１０は、図１５に示されるように、４つのすべての側面にガイド溝が形成されているので、フレームを組み立てて飾り付け用台を作る際に、特にガイド溝のある側面を確認しながら作業を進める必要はなく、組み立て作業が楽である。また、シャフト、およびポールは、今までの図に示されているように、いずれもその長手方向に沿って距離に対応した目盛りが刻まれているので、シャフト４上における位置決め装置の位置の設定およびポールの高さの設定を容易に行うことができる。また、図１５では記載が省略されているが、フレーム上にも、その長手方向に沿って距離に対応した目盛りが刻まれているので、フレームに取り付け部材を取り付ける際の位置の設定も簡単に行うことができる。
【００３０】
なお、参考例として示した図１８の花祭壇は、全て同一形状のモジュールを用いて構築されており、この花祭壇を装飾する花は、単に、斜めの平坦面上に表示されているだけであるが、これ以外の形状を持たせたモジュールについて、そのいくつかの例の概観を図１６に示す。そして、これらのモジュールを組み合わせることにより、例えば、図１７に示されるような表示曲面を持つ祭壇を構築できる。
【００３１】
なお、以上のようなモジュール構造を採用したことにより、モジュールの保持部への挿花作業を簡単に自動化することができる。即ち、保持部の空間上の位置は、フレーム上の取り付け部材の位置データ、シャフト上の位置決め装置の位置データ、ポールの高さを示すデータ、および、保持装置内の６個の保持部のうちのいずれの保持部であるかを示すデータによって完全に特定されるので、これらの保持部の位置に関するデータと、各々の保持部に挿花すべき花の種類をあらわすデータとを予めコンピューターに入力しておき、このコンピューターによりロボットアームを制御して自動的に挿花作業を実行させることができる。
【００３２】
特に、祭壇の表面を複雑な曲面で構成する場合（たとえば、図１７参照）とか、あるいは祭壇の表面に多種類の花で複雑な模様を表出する場合等には、以上のような自動挿花機構を使用すればきわめて効率的である。もちろん、フレームから飾り付け用台を組み立てる作業、飾り付け用台へシャフト、ポール、保持装置等を取り付けて組み立てる作業も自動化が可能である。
【００３３】
そして、セレモニー会場に花祭壇を構築する場合には、以上のような自動挿花作業により工場内で予め個々のモジュールを完成しておき、これをセレモニー会場へ搬送して会場内で各モジュール及び補助台を所定の配置に並べるだけで、簡単に祭壇を構築できるので、会場内における構築作業が極めて省力化される。また、セレモニー終了後の花祭壇の撤去作業も、各モジュール及び補助台を移送するだけでよいから、簡単迅速に行える。
【００３４】
なお、本実施例では、保持装置を支持するポールの高さを、クリック機構を利用して調節保持可能としているが、この技術は、他の支持機構、たとえば、カメラの３脚における支持機構や電気スタンド等に直ちに応用することができる。また、実施例のシャフト、ポールによる支持機構を、次のように改変して利用することも可能である。即ち、垂直のポールを固定するとともに、水平シャフトの両端は非固定としてその一端に被保持体を取り付けておき、垂直ポールに沿って位置決め装置を上下にスライドすることで被保持体の高さを調整可能とし、更に、シャフトを水平に移動させることで被保持体の水平の位置を調節する。そして、このような支持機構の利用例としては、たとえば、テレビカメラで撮像する場合のマイクロホンの支持機構等を挙げることができる。
【００３５】
この場合、ポールとして図３あるいは図６のような断面構造を有するものを採用すれば、シャフトをクリック係合保持するクリック孔が同一水平面内に複数あるので、シャフトをクリック係合保持する際の水平面内での角度（方位）を、２つの角度のうちから適宜選択切り替えできるという利点がある。
【００３６】
更に、以上に述べた各実施例では、ポールとシャフトが直角の角度をなすように構成されているが、必要に応じて、これ以外の角度をなすようにしてもよい。例えば、ポールを鉛直よりも幾分前方へ傾けた角度をとらせるようにしてもよい。
【００３７】
次に、以上に示した図１ないし図５とは異なる構造の飾り付け用台、位置決め装置及びポールを用いて祭壇装置を構成した場合の実施例について説明する。
かかる実施例におけるモジュールの構造を図１９に示す。この図に示されるように、本実施例においては、飾り付け用台の上端面の側端部は、前端部のフレーム３０３と、このフレームよりも高く位置する後端部のフレームと、左右の斜めのフレーム３００および３０１とによって構成されており、これにより、上端面が傾斜面となるように設定されている。そして、複数本のシャフト（３０５等）の両端が、それぞれ、上端面の左右の対向する側端部を構成するフレーム３００および３０１に取り付けられている。なお、これらの取り付けられたシャフトは、互いに、所定の間隔を保って水平かつ平行となるように設定されている。そして、これらの複数本のシャフトの所望の位置に位置決め装置３０９を設けてポール３１２の支持が行われ、ポールの先端部には、保持装置３１０が装着される。
【００３８】
次に、上記の飾り付け用台におけるフレーム相互の組み立て部分の構造を図２０により説明する。
この図に示されるように、斜めのフレーム３００を水平のフレーム３０１に取り付けるための部材としては、これらのフレーム間に所望の角度を保持するためのコーナーブロック３０６を用いるとともに、水平フレーム３０１と垂直フレーム３０３を組み立てる部分には、Ｌ字形のコーナーブロック３０７を用い、これらの部材により、図１５において説明した締め付け部６１０と同じ部材を用いてフレーム相互の強固な組み立てを行う。
また、位置決め装置が取り付けられるシャフト３１３と斜めのフレーム３００との組み立て部分には、図２０に示されているようなホルダー３０８を用いることによって、該シャフトの上側面が水平面となるようにしている。
【００３９】
次に、位置決め装置３０９の具体的構造を、図２１〜図２３により説明する。
図２１に示されるように、この実施例における位置決め装置３０９は、ポール３１２をクリック係合により保持するためのクリック係合保持部３１５と、位置決め装置をシャフト３１３の所望水平位置に固定するための固定部３１４とを備える。そして、クリック係合保持部３１５における３２２は、図５における５０と同様の構造及び機能を備えたストッパーである。また、ポールには、クリック孔３１６が多数形成されている。このポールの先端部３２６には、図７と同じ構造の保持装置が装着されるが、この実施例においては、図７に示される保持装置を上下反転させてポールに装着している。
【００４０】
図２１に示される保持装置を図のＰ方向から見た図を図２２に示す。この図において、位置決め装置をシャフトの所望位置に固定する際は、固定部３１４のボルト３１１を緩めて位置決め装置を所望位置まで移動させた後、該ボルトを締めつけるようにする。
【００４１】
次に、図２２において、クリック係合保持部３１５を図の１点鎖線Ａ−Ｂの位置で切断した断面図を図２３に示す。この図に示されるように、クリック係合保持部３１５内には１対のクリック係合用ボール３１７，３１８が内蔵されており、これらのボールが、スプリング３１９，３２０によって位置決め装置の両側面に形成されているクリック孔３１６へ強く押圧されることにより、ポールが係合保持される。なお、位置決め装置の材質はプラスチックで構成されているが、上記クリック係合保持部３１５におけるボールおよびスプリング等が収納されるインサート部分３２１の材質はメタルで構成され、これにより強度を確保している。
【００４２】
なお、この実施例では、位置決め装置をシャフト上の所望位置に固定するための方法として、前述のようにボルトによる締め付け方法を採用しているが、ポールを保持する場合と同様にクリック機構を利用して固定するようにしても良い。この場合の具体的構成としては、例えば、シャフトとして、その上側面と下側面にそれぞれクリック孔が形成されているものを使用し、かつ、固定部３１４には、前記クリック係合保持部３１５と同様に、そのシャフトを挟んだ上側と下側にそれぞれクリック機構を設ける。そして、シャフトを上下からクリック係合することにより、位置決め装置を安定に保持することができる。このようにすれば、前述のようなボルトを用いる場合よりも、シャフト上の位置調整が簡単にできる。
【００４３】
次に、ポールの先端部３２６へ保持装置を装着する部分の構造について、図２４の断面図により説明する。本実施例では、図７の実施例と異なり、保持装置のポール受け部３２５（図２１参照）の内側に前述の球状体を嵌装することなく、直接ポールの先端部の球面が当接して、保持装置が保持されるように構成している。なお、図２１において、３２３は花の挿入される花瓶であるが、この花瓶が挿入保持される保持装置の保持部の内側には、図１０と同じ球状体２１０が嵌装される。
【００４４】
以上、本発明の種々の実施例について説明したが、もちろん、本発明は、これらの実施例に限定されるものではない。そして、当業者であれば、この他に、この発明の技術思想の範囲で、さまざまな構造的改変を施した実施例を構成することが可能であるが、そのような実施例が本発明の範囲から除外されるものではないことも明らかである。
【図面の簡単な説明】
【００４５】
【図１】本発明の１実施例を示す図である。
【図２】同実施例における位置決め装置の拡大図である。
【図３】同実施例におけるシャフトの断面図である。
【図４】位置決め装置の他の構成例を示す図である。
【図５】該構成例の断面図である。
【図６】シャフトの他の構成例の断面図である。
【図７】本発明の実施例における保持装置の具体的構成を示す図である。
【図８】保持装置の平面図である。
【図９】保持装置における保持部および受け部材を説明する図である。
【図１０】保持部における花瓶の保持状態を説明する図である。
【図１１】本発明の１実施例におけるポールを示す図である。
【図１２】同実施例における保持装置の締め付け部分の拡大図である。
【図１３】同実施例における保持部の配置パターンを示す図である。
【図１４】同実施例における連結部材を示す図である。
【図１５】同実施例における取り付け部材を説明する図である。
【図１６】同実施例におけるモジュールの例を示す図である。
【図１７】同モジュールによる祭壇の構成例を示す図である。
【図１８】本発明による１実施例の断面図である。
【図１９】本発明の他の実施例を示す図である。
【図２０】該実施例におけるフレームの組み立て部分を示す図である。
【図２１】同実施例における位置決め装置、ポール、保持装置等を示す図である。
【図２２】同実施例における位置決め装置を側面から見た図である。
【図２３】同実施例における位置決め装置内のクリック機構を説明する図である。
【図２４】同実施例におけるポールの先端部への保持装置の装着状態を説明する図である。
【符号の説明】
【００４６】
１              飾り付け用台
２              保持装置
３、３１２      ポール
４、３１３      シャフト
５、３０９      位置決め装置
６、３０８      取り付け部材
７、３２３      花瓶
１０、３０１    フレーム
【図１】
0004697903.tif 000002
【図２】
0004697903.tif 000003
【図３】
0004697903.tif 000004
【図４】
0004697903.tif 000005
【図５】
0004697903.tif 000006
【図６】
0004697903.tif 000007
【図７】
0004697903.tif 000008
【図８】
0004697903.tif 000009
【図９】
0004697903.tif 000010
【図１０】
0004697903.tif 000011
【図１１】
0004697903.tif 000012
【図１２】
0004697903.tif 000013
【図１３】
0004697903.tif 000014
【図１４】
0004697903.tif 000015
【図１５】
0004697903.tif 000016
【図１６】
0004697903.tif 000017
【図１７】
0004697903.tif 000018
【図１８】
0004697903.tif 000019
【図１９】
0004697903.tif 000020
【図２０】
0004697903.tif 000021
【図２１】
0004697903.tif 000022
【図２２】
0004697903.tif 000023
【図２３】
0004697903.tif 000024
【図２４】
0004697903.tif 000025